(57)【特許請求の範囲】
【請求項１】
内側横方向に延設される前方係合部を有していてもよい前方側板と、
内側横方向に延設される後方係合部を上下方向に複数備える後方側板と、
前記前方側板と前記後方側板を連結すると共に、横方向に延設される中間係合部を有する底板とからなる左右方向の側部が開放状態の容器枠体と、
少なくとも該容器枠体の中間係合部に前端部が係合して、該容器枠体に傾斜状に載置される商品載置部とからなることを特徴とする商品陳列演出用容器。
【請求項２】
前記商品載置部は、スノコ、網状板またはトレー状容器であることを特徴とする請求項１記載の商品陳列演出用容器。
【発明の詳細な説明】
【０００１】
【発明の属する技術分野】
本発明は、主にスーパー等の冷ケースで商品を陳列するのに用いられ、少ない使用部材で商品の陳列の演出効果を高めることができる商品陳列演出用容器に関する。
【０００２】
【従来の技術】
従来、スーパー等の冷ケースで鮮魚、鮮肉、日配品を陳列する場合、通常パックのまま水平又はやや前傾斜の陳列台に置く方法が採られている。また、陳列に工夫を凝らした方法としては、鮮魚などは、水平の陳列台上に置かれた網の上に載せ陳列する方法、お寿司パックやウナギパック等はスノコ上に載せ陳列する方法、コロッケ等はステンレスのトレー状容器に載せ陳列する方法がある。これらスーパー等の店内の冷ケースでの商品陳列方法は、それにより商品の売れ行きが左右されることが多いから、上記した方法以外にも工夫を凝らし、様々な方法が取られ、その模様替えも頻繁に行われる。
【０００３】
【発明が解決しようとする課題】
しかしながら、パックのまま水平又はやや前傾斜の陳列台に置く方法は、見る人の注意を引くほどの効果はない。また、陳列棚の上にスノコ、網あるいはステンレスのトレーを載せて陳列する方法は、陳列棚が水平であれば水平の形態で、傾斜であればその傾斜の形態であるため、客の注意を喚起するほどの演出効果はない。陳列傾斜を変更するため、ふかし台を用いたり個別の傾斜を有する陳列棚を使用することもできる。しかし、このような陳列棚又は陳列台は使用部材が多く、陳列商品毎に部材を取り替える必要があるなど、使用部材の在庫管理、模様替えの必要性など、その作業が煩わしい。
【０００４】
従って、本発明の目的は、少ない使用部材で特に冷ケース陳列用商品の陳列の演出効果を高めることができる商品陳列演出用容器を提供することにある。
【０００５】
【課題を解決するための手段】
かかる実情において、本発明者らは鋭意検討を行った結果、内側に前方係合部を有する前方側板と、内側に後方係合部を上下方向に複数備える後方側板とを有する左右方向の側部が開放状態の容器枠体と、該容器枠体の前方隅部又は前方係合部に前端部が係合し、該容器枠体の後方係合部のいずれかに後端部が係合する商品載置部とからなる容器を冷ケース等に使用すれば、少ない使用部材で特に冷ケース陳列用商品の陳列の演出効果を高めることができること等を見出し、本発明を完成するに至った。
【０００７】
すなわち、本発明は、内側横方向に延設される前方係合部を有していてもよい前方側板と、内側横方向に延設される後方係合部を上下方向に複数備える後方側板と、前記前方側板と前記後方側板を連結すると共に、横方向に延設される中間係合部を有する底板とからなる左右方向の側部が開放状態の容器枠体と、少なくとも該容器枠体の中間係合部に前端部が係合して、該容器枠体に傾斜状に載置される商品載置部とからなる商品陳列演出用容器を提供するものである。かかる構成を採ることにより、商品載置部の傾斜面部と底板の平面部とで形成される変形Ｖ字型の載置面を形成する演出ができると共に、陳列商品の特性に応じた少なくとも３種の商品載置部を選択して使用すれば更に効果的な演出ができる。
【０００８】
また、本発明は、前記商品載置部は、スノコ、網状板またはトレー状容器である前記商品陳列演出用容器を提供するものである。かかる構成を採ることにより、スノコを用いれば、お寿司、お寿司パック、うなぎ、うなぎパック等の陳列の演出効果が上がり、網状板を用いれば、鮮魚、干物等の陳列の演出効果が上がり、トレー状容器を用いれば、コロッケ等の陳列の演出効果が上がる。
【０００９】
【発明の実施の形態】
次に、本発明の第１の実施の形態における商品陳列演出用容器を図１〜４に基づいて詳述する。なお、本明細書中、第１の実施の形態〜第３の実施の形態は、本発明においては参考となる形態である。図１は本発明の第１の実施の形態である商品陳列演出用容器を示す斜視図、図２は本例の商品陳列演出用容器の分割状態を示す斜視図、図３は図１に比べて商品載置部の傾斜角度がやや緩い場合の形態図、図４は商品載置部が水平状態にある形態図である。図１及び図２において、商品陳列演出用容器１０ａは、内側横方向に延びる前方係合部１２を有する前方側板１と、内側横方向に延びる２つの後方係合部２２、２３を上下方向にそれぞれ備える後方側板２と、前方側板１と後方側板２を下方で連結する底板３とからなる左右方向の側部が開放状態の容器枠体４と、容器枠体４の前方隅部３１又は前方係合部１２に前端部５３が係合し、容器枠体４の後方係合部２２、２３のいずれかに後端部５４が係合する商品載置部５ａとからなるものである。
【００１０】
容器枠体４は、本例では矩形状の底板３の前端に高さｈ１の長尺板状の前方側板本体１１を取り付け、後端に高さ寸法が前方側板本体１１より大きい高さ寸法ｈ２の長尺板状の後方側板本体２１を取り付けたものである。更に前方側板本体１１の内側に高さ寸法が前方側板本体１１より小さく、長尺部分の長さが同じの長尺板状の前方小側板１２１を付設することにより段差を形成し、この段差を前方係合部１２としたものである。
【００１１】
また、後方側板本体２１の内側に前方小側板１２１と同じ形状の後方小側板２３１を付設することにより段差を形成し、この段差を後方第１係合部２３としたものである。更に、後方側板本体２１の内側であって、後方小側板２３１の上方に長尺部分が後方側板本体２と同じ寸法の桟部材２２１を左右方向に付設することにより段差を形成し、この段差を後方第２係合部２２としたものである。なお、桟部材２２の突出長さは後方小側板２３１の突出長さよりやや長めとして、後述するように商品載置部５ａの斜め載置を可能にしている。
【００１２】
商品載置部５ａは、本例ではスノコであり、長尺状平板５１を適宜の間隔で横方向に配置し、これを２つの裏部材５２で連結した矩形状のものである。その左右方向の長さは容器枠体４の左右方向の寸法に同じであり、前後方向の長さは前方側板本体１１と後方側板本体２１とで形成される内方寸法よりやや小さめである。これにより、後述する図４の水平載置面を形成する載置形態を採ることができる。
【００１３】
本発明において、商品載置部５ａは容器枠体４の前方隅部３１又は前方係合部１２に前端部５３が係合し、容器枠体４の後方係合部２２、２３のいずれかに後端部５４が係合する組み付け形態を採る。図１の組み付け形態において、商品載置部５ａは容器枠体４の前方隅部３１に前端部５３が係合し、容器枠体４の後方第２係合部２２に後端部５４が係合する。これにより、商品載置部５ａであるスノコは前方に急な傾斜の商品載置面を形成することができる。図３の組み付け形態において、商品載置部５ａは容器枠体４の前方係合部１２に前端部５３が係合し、容器枠体４の後方第２係合部２２に後端部５４が係合する。これにより、商品載置部５ａであるスノコは前方にやや緩め傾斜の商品載置面を形成することができる。また、図４の組み付け形態において、商品載置部５ａは容器枠体４の前方係合部１２に前端部５３が係合し、容器枠体４の後方第１係合部２３に後端部５４が係合する。これにより、商品載置部５ａであるスノコは傾斜のないフラットな商品載置面を形成することができる。
【００１４】
容器枠体４に商品載置部５ａを組み付ける方法としては、図１の組み付け形態においては、スノコ状の商品載置部５ａを前方傾斜としつつ、容器枠体４の上方から入れ込めばよく、図３の組み付け形態においては、スノコ状の商品載置部５ａをやや前方傾斜の状態としつつ、容器枠体４の上方から入れ込めばよく、図４の組み付け形態においては、スノコ状の商品載置部５ａをやや後方傾斜の状態としつつ、容器枠体４の後方部５４を後方第１係合部２３に係合させ、次いで容器枠体４の前方部５３を前方係合部１２に係合させる方法を採ればよい。
【００１５】
本発明の第１の実施の形態例によれば、商品載置部５ａの上面のみならず、底板３の上面にも商品を載置することができる。特に商品載置部５ａであるスノコの上面に例えばお寿司、お寿司パック、うなぎ、うなぎパック等の商品を載置すれば、その商品の陳列の演出効果が上がる。更に容器枠体４と商品載置部５ａの組み付け形態を日毎又は定期的に代えれば、同じ陳列商品であっても、客の目に新鮮な印象を与えることができる。また、図７に示すように、本例の商品陳列演出用容器１０ａは、これを複数個用意し、横並びに使用すれば、収納容量が異なる冷ケースに対しても対応できる。更に、横並び形態であれば、商品陳列演出用容器１０ａの左右方向の側部が開放状態であるため、左右方向に種々の寸法のものとすることができる。更に、横並び形態において、個々の商品陳列演出用容器１０ａの容器枠体４と商品載置部５ａの組み付け形態を変化させれば、陳列形態がジグザグ状に異なる形態にすることができ、尚一層の陳列の演出効果を高めることができる。
【００１６】
次に、本発明の第２の実施の形態における商品陳列演出用容器を図５に基づいて詳述する。図５は本発明の第２の実施の形態である商品陳列演出用容器を示す斜視図であり、容器枠体と商品載置部との組み付け形態は図３と同じである。図５において、図３と同一構成要素には同一符号を付してその説明を省略し、異なる点について主に説明する。すなわち、図５において、図３と異なる点はスノコ状の商品載置部５ａを網状板の商品載置部５ｂとした点である。すなわち、網状板の商品載置部５ｂは、実質的に陳列商品を載置する網部５２と、網部５２を左右両側から支持する木枠部５１とからなるものである。商品陳列演出用容器１０ｂにおける容器枠体４と商品載置部５ｂの組み付けは、第１の実施の形態例の商品陳列演出用容器１０ａにおける図１及び図４の組み付け形態を採ることができる。図５の第２の実施の形態における商品陳列演出用容器１０ｂによれば、特に商品載置部５ａである網状板の網部５２上に例えば鮮魚、干物等の商品を載置すれば、その商品の陳列の演出効果が上がる他、第１の実施の形態における商品陳列演出用容器１０ａと同様の効果を奏する。
【００１７】
次に、本発明の第３の実施の形態における商品陳列演出用容器を図６に基づいて詳述する。図６は本発明の第３の実施の形態である商品陳列演出用容器を示す斜視図であり、容器枠体と商品載置部との組み付け形態は図３と同じである。図６において、図３と同一構成要素には同一符号を付してその説明を省略し、異なる点について主に説明する。すなわち、図６において、図３と異なる点はスノコ状の商品載置部５ａをトレー状の商品載置部５ｃとした点である。すなわち、トレー状の商品載置部５ｃは、ステンレス製、木製及び樹脂製のいずれも使用でき、陳列商品のイメージに沿うものを用いればよい。第３の実施の形態における商品陳列演出用容器１０ｃによれば、例えばコロッケ等の陳列の演出効果が上がる他、第１の実施の形態における商品陳列演出用容器１０ａと同様の効果を奏する。
【００１８】
次に、本発明の第４の実施の形態における商品陳列演出用容器を図８に基づいて詳述する。図８は本発明の第４の実施の形態である商品陳列演出用容器を示す斜視図である。図８において、図３と同一構成要素には同一符号を付してその説明を省略し、異なる点について主に説明する。すなわち、図８において、図３と異なる点は、底板３の上面に中間係合部である凹部状係合部７を横方向に１条延設した点である。すなわち、底板３は、前方側板１と後方側板２を連結すると共に、横方向に延設される凹部状係合部７を有する。そして、商品載置部５ａは、容器枠体４の中間係合部７に前端部５３が係合し、容器枠体４の後方側板２の上端角部に後方裏面部が載置する。第４の実施の形態における商品陳列演出用容器１０ｄによれば、商品載置部５ａの傾斜面部５５と底板の平面部３３とで形成される屈曲状の載置面を形成する演出ができると共に、陳列商品の特性に応じた少なくとも３種の商品載置部を選択して使用すれば更に効果的な演出ができる。
【００１９】
本実施の形態における商品陳列演出用容器は、上記のものに限定されず、例えば、後方係合部は上下方向に３つ以上有していてもよい。後方係合部が３つ以上の場合、容器枠体４の前方隅部３１に商品載置部の前端部を係合させ、後方第３係合部に商品載置部の後端部を係合させると、商品載置部をより急な傾斜形態とすることができる。また、前方係合部１２又は後方係合部２３、２２の横方向における延設形態としては、例えば定形又は不定形の突起状物が適宜の間隔で横方向に少なくとも２箇所に付設される形態であってもよい。また、底板は矩形状板に限定されず、前方側板と後方側板間の長さを調整する調整機能付き連結体であってもよい。この場合、連結体の形状は、特に制限されず、例えば桟部材であってもよい。また、中間係合部７としては、前記凹部状のものに限定されず、凸状の桟部材であってもよい。また、中間係合部７は前後方向に複数個有していてもよい。また、図８において、商品載置部５ａの前後方向の寸法を短くして、後端部を後方係合部２２、２３に係合させるようにしてもよい。
【００２０】
【発明の効果】
本発明によれば、商品載置部の上面のみならず、底板３上面にも商品を載置することができる。特に陳列商品の特性に応じた商品載置部を選択し、その上面に商品を載置すれば、陳列の演出効果が上がる。更に容器枠体と商品載置部の組み付け形態を日毎又は定期的に代えれば、同じ陳列商品であっても、客の目に新鮮な印象を与えることができる。また、本発明の商品陳列演出用容器は、これを複数個用意し、横並びに使用すれば、収納容量が異なる冷ケースに対しても対応できる。更に、横並び形態であれば、商品陳列演出用容器の左右方向の側部が開放状態であるため、左右方向に種々の寸法のものとすることができる。更に、横並び形態において、個々の商品陳列演出用容器の容器枠体４と商品載置部５ａの組み付け形態を変化させれば、尚一層の陳列の演出効果を高めることができる。
【図面の簡単な説明】
【図１】第１の実施の形態である商品陳列演出用容器を示す斜視図である。
【図２】本例の商品陳列演出用容器の分割状態を示す斜視図である。
【図３】図１に比べて商品載置部の傾斜角度がやや緩い場合の形態図である。
【図４】商品載置部が水平状態にある形態図である。
【図５】本発明の第２の実施の形態である商品陳列演出用容器を示す斜視図である。
【図６】本発明の第３の実施の形態である商品陳列演出用容器を示す斜視図である。
【図７】第１の実施の形態である商品陳列演出用容器の使用例を示す斜視図である。
【図８】本発明の第４の実施の形態である商品陳列演出用容器を示す斜視図である。
【符号の説明】
１      前方側板
２      後方側板
３      底板
４      容器枠体
５ａ〜５ｃ    商品載置部
７      中間係合部
１０ａ〜１０ｃ    商品陳列演出用容器
１１    前方側板本体
１２    前方係合部
２１    後方側板本体
２２    後方第２係合部
２３    後方第１係合部
３１    前方隅部
５３    前端部
５４    後端部
Ａ      陳列商品
【図１】
0004165802.tif 000002
【図２】
0004165802.tif 000003
【図３】
0004165802.tif 000004
【図４】
0004165802.tif 000005
【図５】
0004165802.tif 000006
【図６】
0004165802.tif 000007
【図７】
0004165802.tif 000008
【図８】
0004165802.tif 000009